(57)【要約】【課題】部品を用いることなく変換角度を自由に選択することのできるフラットケーブル折り曲げ方法およびその装置並びにワイヤハーネスを提供する。【解決手段】フラットケーブル２４を曲げたい角度に応じてターンテーブル１３を旋回させることにより、フラットケーブル押え４１をフラットケーブル２４の配索方向に対して傾け、このフラットケーブル押え４１によりフラットケーブル２４を押える。この状態で折り曲げ部１６をヒンジ１５を中心として折り返すことによりフラットケーブル押え４１の位置においてフラットケーブル２４を折り曲げるので、任意の角度でフラットケーブル２４を折り曲げることができる。これにより、フラットケーブル２４の配索の自由度が増すことになる。【選択図】　　　　図１
2004047319.tif 000002
【特許請求の範囲】
【請求項１】
複数本の電線を絶縁被覆により並列帯状に一体化したフラットケーブルを配索する際に、前記フラットケーブルの配索角度を変換するためのフラットケーブル折り曲げ方法であって、
前記フラットケーブルを押えるフラットケーブル押えが設けられたターンテーブルを当該フラットケーブルの変換角度に応じて回転させて固定し、前記フラットケーブルを前記ターンテーブル上に配して前記フラットケーブル押えにより当該フラットケーブルを押さえ、前記ターンテーブルにおいて前記フラットケーブル押えが設けられている旋回部に対して折り返し自在に設けられている折り曲げ部を折り返して前記フラットケーブルを前記フラットケーブル押えに沿って折り返すことを特徴とするフラットケーブル折り曲げ方法。
【請求項２】
複数本の電線を絶縁被覆により並列帯状に一体化したフラットケーブルを配索する際に、前記フラットケーブルの配索角度を変換するためのフラットケーブル折り曲げ装置であって、
前記フラットケーブルの変換角度に応じて回転・固定自在のターンテーブルと、このターンテーブル上に設けられて前記フラットケーブルを固定するフラットケーブル押えと、前記ターンテーブルにおいて前記フラットケーブル押えが設けられている旋回部に対して一対のヒンジを介して折り返し自在に設けられ当該フラットケーブル押えにより押えられているフラットケーブルを折り返す折り曲げ部を有することを特徴とするフラットケーブル折り曲げ装置。
【請求項３】
前記フラットケーブル押えが、前記フラットケーブルを配する際に前記旋回部に対して開放可能であると共に当該フラットケーブルを前記旋回部に固定するために押付け可能であることを特徴とする請求項２に記載したフラットケーブル折り曲げ装置。
【請求項４】
前記折り曲げ部が、前記ヒンジ間に少なくともフラットケーブル２枚分の厚み以上の深さの凹部を有することを特徴とする請求項２または３に記載したフラットケーブル折り曲げ装置。
【請求項５】
前記折り曲げ部に、取っ手を設けたことを特徴とする請求項２から４のいずれかに記載したフラットケーブル折り曲げ装置。
【請求項６】
請求項１記載のフラットケーブル折り曲げ方法または請求項２から５のいずれかに記載したフラットケーブル折り曲げ装置を用いて折り曲げられたことを特徴とするワイヤハーネス。
【発明の詳細な説明】
【０００１】
【発明の属する技術分野】
この発明は、フラットケーブルの方向変換を行うためのフラットケーブル折り曲げ方法およびその装置並びにワイヤハーネスに関するものである。
【０００２】
【従来の技術】
従来より、フラットケーブルの配索において、フラットケーブルの方向変換を行う方法および装置としては、例えば、特開平７−３０３３１９号公報や特開平８−９５４３号公報に示されるようなフラットケーブル用変換具がある。
【０００３】
図１０に示すように、特開平７−３０３３１９号公報のフラットケーブル用変換具１００は、屈曲したフラットケーブル１０１を屈曲した状態で保持するために、互いに係合自在の上分割体１０２Ｕと下分割体１０２Ｌを有している。
従って、フラットケーブル１０１の幅方向の一方の縁部（図１０においては下側の縁部）を上下に蛇行させた状態で屈曲部１０３を形成し、この屈曲部を上下の分割体１０２Ｕ、１０２Ｌで固定してフラットケーブル１０１の配索角度を変換するものである。
【０００４】
また、図１１に示すように、特開平８−９５４３号公報に示されているフラットケーブル用変換具１１０は、保持台１１１と、この保持台１１１にヒンジ１１２を介して開閉自在に連結された枠状の挟持板１１３を有している。保持台１１１の中央部には隆起部１１４が形成され、その一端１１４ａにおいて円弧状の隆起高さが最も低く、他端１１４ｂにおいて隆起高さが高くなるような円錐台の一部を形成している。
【０００５】
隆起部１１４を囲む全周縁部に平面状の保持面１１５が形成されており、保持台１１１のヒンジ１１２と反対側の端部には、結合部１１６が凹設されている。
挟持板１１３には、保持台１１１の隆起部１１４が嵌入可能な嵌入部１１７を開設した枠状に形成され、嵌入部１１７の周囲には保持台１１１の保持面と密着する挟持面１１８を有している。また、挟持板１１３の先端には、保持台１１１の結合部１１６に係止される係止部１１９が設けられている。
【０００６】
従って、挟持板１１３を開けて保持台１１１の隆起部１１４の上にフラットケーブル１２０を配置し、挟持板１１３を閉じて挟持板１１３の嵌入部１１７と保持台１１１の隆起部１１４との間にフラットケーブル１０１を挟んで、係止部１１９を結合部１１６に係止させる。フラットケーブル１０１の一方の縁部は隆起部１１４の高さの高い方に挟持されるので、隆起部１１４を超えるのに長いフラットケーブル１２０が消費される。
【０００７】
一方、フラットケーブル１２０の他方の縁部は隆起部１１４の高さが低い方に挟持されるので、隆起部１１４を超えるのに短いフラットケーブル１２０が消費される。この両縁部における消費長さの差から、フラットケーブル１２０は全体として屈折することになって、方向変換が行われる。
【０００８】
このようなフラットケーブル用変換具１００、１１０を用いることにより、小型、軽量でフラットケーブル１０１、１２０の導体に大きな歪を与えることなく方向変換するので、フラットケーブル１０１、１２０の損傷が発生せず、容易にフラットケーブル１０１、１２０の方向変換を行うことができる。
【０００９】
【発明が解決しようとする課題】
しかしながら、前述した上下の分割体１０２Ｕ、１０２Ｌを用いる方法においては、フラットケーブル１０１を屈曲させた状態で固定するための部品である上下の分割体１０２Ｕ、１０２Ｌが必要となるため、コストアップを招くという問題がある。
【００１０】
また、上下の分割体１０２Ｕ、１０２Ｌを用いる場合、およびフラットケーブル用変換具１１０を用いる場合には、上下の分割体１０２Ｕ、１０２Ｌあるいはフラットケーブル用変換具１１０によって変換角度が一定であり、フラットケーブル１０１の変換角度が変わると別の分割体１０２Ｕ、１０２Ｌや変換具１１０が必要となるため、コストアップを招くという問題がある。
【００１１】
本発明は、前述した問題点に鑑みてなされたものであり、その目的は、部品を用いることなく、且つ変換角度を自由に選択することのできるフラットケーブル折り曲げ方法およびその装置並びにワイヤハーネスを提供することにある。
【００１２】
【課題を解決するための手段】
前述した目的を達成するために、本発明にかかるフラットケーブル折り曲げ方法は、請求項１に記載したように、複数本の電線を絶縁被覆により並列帯状に一体化したフラットケーブルを配索する際に、前記フラットケーブルの配索角度を変換するためのフラットケーブル折り曲げ方法であって、前記フラットケーブルを押えるフラットケーブル押えが設けられたターンテーブルを当該フラットケーブルの変換角度に応じて回転させて固定し、前記フラットケーブルを前記ターンテーブル上に配して前記フラットケーブル押えにより当該フラットケーブルを押さえ、前記ターンテーブルにおいて前記フラットケーブル押えが設けられている旋回部に対して折り返し自在に設けられている折り曲げ部を折り返して前記フラットケーブルを前記フラットケーブル押えに沿って折り返すことを特徴としている。
【００１３】
ここで、フラットケーブルとしては、複数本の電線を絶縁被覆により並列帯状に一体化したものを例示することができる。
また、フラットケーブルの変換角度に応じてとは、フラットケーブル押えに沿ってフラットケーブルを折り曲げたときにフラットケーブルが所定の方向へ折り返されるようにフラットケーブル押えの向きを調整することをいう。
【００１４】
このように構成されたフラットケーブル折り曲げ方法においては、フラットケーブルを曲げたい角度に応じてターンテーブルを旋回させてフラットケーブル押えをフラットケーブルの配索方向に対して傾け、このフラットケーブル押えによりフラットケーブルを押える。この状態で折り曲げ部をヒンジを中心として折り返すことによりフラットケーブル押えの位置においてフラットケーブルを折り曲げるので、任意の角度でフラットケーブルを折り曲げることができる。これにより、フラットケーブルの配索の自由度が増すことになる。
【００１５】
また、本発明にかかるフラットケーブル折り曲げ方法は、請求項２に記載したように、複数本の電線を絶縁被覆により並列帯状に一体化したフラットケーブルを配索する際に、前記フラットケーブルの配索角度を変換するためのフラットケーブル折り曲げ装置であって、前記フラットケーブルの変換角度に応じて回転・固定自在のターンテーブルと、このターンテーブル上に設けられて前記フラットケーブルを固定するフラットケーブル押えと、前記ターンテーブルにおいて前記フラットケーブル押えが設けられている旋回部に対して一対のヒンジを介して折り返し自在に設けられ当該フラットケーブル押えにより押えられているフラットケーブルを折り返す折り曲げ部を有することを特徴としている。
【００１６】
ここで、フラットケーブルとしては、複数本の電線を絶縁被覆により並列帯状に一体化したものを例示することができる。
また、フラットケーブルの変換角度に応じてとは、フラットケーブル押えに沿ってフラットケーブルを折り曲げたときにフラットケーブルが所定の方向へ折り返されるようにフラットケーブル押えの向きを調整することをいう。
【００１７】
このように構成されたフラットケーブル折り曲げ方法においては、フラットケーブルを曲げたい角度に応じてターンテーブルを旋回させてフラットケーブル押えをフラットケーブルの配索方向に対して傾け、このフラットケーブル押えによりフラットケーブルを押える。
この状態で折り曲げ部をヒンジを中心として折り返して旋回部との間に挟むことにより、フラットケーブル押えの位置においてフラットケーブルを折り曲げるので、任意の角度でフラットケーブルを折り曲げることができる。
これにより、フラットケーブルの配索の自由度が増すことになる。
【００１８】
また、本発明にかかるフラットケーブル折り曲げ方法およびその装置並びにワイヤハーネスは、請求項３に記載したように、請求項２に記載したフラットケーブル折り曲げ装置において、前記フラットケーブル押えが、前記フラットケーブルを配する際に前記旋回部に対して開放可能であると共に当該フラットケーブルを前記旋回部に固定するために押付け可能であることを特徴としている。
【００１９】
ここで、フラットケーブル押えとしては、種々のものが考えられるが、例えば、棒状部材を全体コ字状に折り曲げ、この棒状部材が嵌入可能な穴を旋回部に設けておくようにする。あるいは、根元にバネ部を有して、先端を常時上方へ付勢している部材を設け、フラットケーブルを押える際には部材の先端を旋回部に設けたロック部に引っ掛けるようにすることもできる。さらに、フラットケーブル押えを、一端回りに旋回可能に設け、フラットケーブルを押える際にはフラットケーブル押えの旋回を固定するようにすることもできる。
【００２０】
このように構成されたフラットケーブル折り曲げ装置においては、フラットケーブルを配する際にはフラットケーブル押えを開放することができるので、容易にフラットケーブルをフラットケーブル折り曲げ装置にセットすることができる。
また、フラットケーブルを折り曲げる際には、フラットケーブル押えを押えることによりフラットケーブルを旋回部上に固定して、折り曲げを行うことができる。
【００２１】
また、本発明にかかるフラットケーブル折り曲げ装置は、請求項４に記載したように、請求項２または３に記載したフラットケーブル折り曲げ装置において、前記折り曲げ部が、前記ヒンジ間に少なくともフラットケーブル２枚分の厚み以上の深さの凹部を有することを特徴としている。
【００２２】
このように構成されたフラットケーブル折り曲げ装置においては、折り曲げ部をヒンジを中心として折り返してフラットケーブルを折り曲げる際に、ヒンジ間に設けられている凹部が少なくとも折り返したフラットケーブルの厚さ以上の空間を有するので、折り返されたフラットケーブルはこの凹部を通ることになり、スムーズにフラットケーブルを折り曲げることができる。
【００２３】
また、本発明にかかるフラットケーブル折り曲げ装置は、請求項５に記載したように、請求項２から４のいずれかに記載したフラットケーブル折り曲げ装置において、前記折り曲げ部に、取っ手を設けたことを特徴としている。
【００２４】
このように構成されたフラットケーブル折り曲げ装置おいては、折り曲げ部を折り返す際に、作業者は取っ手を持って折り返すことができるので、容易にフラットケーブルを折り曲げることができる。
なお、この取っ手は、折り曲げ部を元の位置に戻したときに、ストッパの役目もする。
【００２５】
また、本発明にかかるワイヤハーネスは、請求項６に記載したように、請求項１記載のフラットケーブル折り曲げ方法または請求項２から５のいずれかに記載したフラットケーブル折り曲げ装置を用いて、折り曲げられたことを特徴としている。
【００２６】
ここで、ワイヤハーネスを構成しているフラットケーブルとしては、複数本の電線を絶縁被覆により並列帯状に一体化したものを例示することができる。
【００２７】
このように構成されたワイヤハーネスにおいては、ワイヤハーネスを構成するフラットケーブルを、任意の角度に折り曲げることができるので、ワイヤハーネスの配索の自由度が増す。
また、折り曲げたフラットケーブルには部品が用いられていないので、コストダウンを図ることができる。
【００２８】
【発明の実施の形態】
以下、本発明に係るフラットケーブル折り曲げ方法およびその装置並びにワイヤハーネスの実施の形態を図面に基づいて詳細に説明する。
図１に示すように、本発明に係る第１実施形態であるフラットケーブル折り曲げ装置であるフラットケーブル折り曲げ治具１０では、基台１１の中央に丸穴１２が設けられており、この丸穴１２にはターンテーブル１３が旋回自在に設けられている。
【００２９】
ターンテーブル１３は、丸穴１２に沿って旋回する略半円状部分と残りの半円形状のフレームからなる旋回部１４と、この旋回部１４において直径方向に設けられている１対のヒンジ１５、１５を介して上下方向に折り返し自在に設けられている折り曲げ部１６を有している。
【００３０】
旋回部１４における両ヒンジ１５間は折り曲げ部１６側に突出した凸部１７が設けられており、この凸部１７に対応して折り曲げ部１６には凹部１８が形成されている。
なお、折り曲げ部１６を折り返していない状態では、旋回部１４の上面と折り曲げ部１６の上面は面一となっている。
また、ターンテーブル１３は、所望の角度に旋回した状態で、例えばネジ等の固定手段により基台１１に対して固定可能となっている。さらに、折り曲げ部１６には、取っ手１９が設けられている。
【００３１】
旋回部１４における１対のヒンジ１５、１５の間には、丸穴１２の直径方向に１対の穴２０ａ、２０ｂが設けられている。この穴２０ａ、２０ｂにはフラットケーブル押え２１が設けられている。
フラットケーブル押え２１は、一対の支柱２２ａ、２２ｂを有する全体コ字状をしており、一方の支柱２２ａは他方の支柱２２ｂに比して短くなっている。フラットケーブル押え２１は、少なくとも短い支柱２２ａが穴２０ａから脱することができるように上下移動自在となっており、支柱２２ａが穴２０ａから脱した状態では支柱２２ｂを中心として回動自在となる。
なお、支柱２２ｂの下端部にストッパを設けて、フラットケーブル押え２１が穴２０ｂから外れないようにするのが良い。
【００３２】
次に、本発明にかかるフラットケーブル折り曲げ方法について説明する。
図１に示すように、ワイヤハーネス配索治具板２３上にフラットケーブル２４を真っ直ぐに伸ばし、その下方にフラットケーブル折り曲げ治具１０を配置する。
なお、フラットケーブル２４の端部にはコネクタ２５が取り付けられている。
【００３３】
フラットケーブル２４の折り曲げ角度に対応してターンテーブル１３を旋回させて例えばネジを締めて固定する。例えば９０度右（図１においては下方）へ折り曲げる場合には、ターンテーブル１３を４５度旋回した状態にする。
ついで、フラットケーブル押え２１の短いほうの支柱２２ａを上方に引き抜いて、長い方の支柱２２ｂを中心として旋回させる。
【００３４】
図２に示すように、フラットケーブル２４を、旋回部１４の一対の穴２０ａ、２０ｂの間を通過するようにターンテーブル１３の上に載せ、フラットケーブル押え２１を旋回させて短い方の支柱２２ａを穴２０ａに挿入する。フラットケーブル押え２１をターンテーブル１３に押し込んで、フラットケーブル２４を押える。
なお、フラットケーブル押え２１の長い方の支柱２２ｂの下端部にスプリングを設けてフラットケーブル押え２１を下方へ付勢するようにしている場合には、短い方の支柱２２ａを穴２０ａに挿入するだけでフラットケーブル２４を押えることができる。
【００３５】
図３に示すように、折り曲げ部１６の取っ手１９を持って、折り曲げ部１６をヒンジ１５、１５を中心として折り返す。フラットケーブル２４は旋回部１４と折り曲げ部１６とに挟まれて、折り曲げられる。
なお、折り曲げ部１６を折り返す際にフラットケーブル２３が邪魔にならないように、凹部１８の切欠きの深さは、少なくとも折り返したフラットケーブル２３の厚さ、すなわちフラットケーブル２３二枚分の厚さ以上とする。
【００３６】
図４に示すように、折り曲げ部１６を、ヒンジ１５、１５を中心に元の位置に戻した後、フラットケーブル押え２１の短いほうの支柱２２ａを上方に引き抜いて、長い方の支柱２２ｂを中心として旋回させて、フラットケーブル２４を取り出す。
【００３７】
前述したフラットケーブル折り曲げ方法およびその装置によれば、部品を用いずに且つ１台のフラットケーブル折り曲げ治具１０により、フラットケーブル２４を所望の角度に折り曲げることができるので、コストダウンを図ることができる。
また、所望の角度に折り曲げられたワイヤハーネス２６を製造することができるので、ワイヤハーネス２６の配索経路の自由度を高めることができる
【００３８】
次に、別の実施形態について説明する。なお、図１から図４において前述したものと同じ部位には同じ符号を付して、重複する説明を省略する。
図５には第２実施形態が示されている。このフラットケーブル折り曲げ治具３０では、フラットケーブル押え３１の根元３１ａがスプリング状に形成されており（図６参照）、常時先端を上方へ付勢している。
一方、旋回部１４の凸部１７には、図７（Ａ）（Ｂ）に示すように、上方へ付勢されているフラットケーブル押え３１を係止するための係止突起３２ａを有するロック部４３が設けられている。
【００３９】
従って、フラットケーブル押え３１を開放する際には、図７（Ａ）に示すように、フラットケーブル押え３１を横にずらしてロック部４３から外してスプリングの復帰力によりフラットケーブル押え３１は上方へ開放される。
一方、フラットケーブル２４を押える際には、フラットケーブル２４の上からフラットケーブル押え３１を押し下げて、フラットケーブル押え３１の先端をロック部４３の係止突起３２ａにより係止する。その後、前述した実施形態と同様に折り曲げ部１６を折り返してフラットケーブル２４を折り曲げる。
【００４０】
以上のように構成しても、前述した第１実施形態と同様の作用・効果を得ることができる。また、ここで説明したフラットケーブル折り曲げ治具３０を用いても、前述した第１実施形態に係るフラットケーブル折り曲げ治具１０を用いた場合と同様のワイヤハーネスを得ることができる。
【００４１】
図８には第３実施形態が示されている。このフラットケーブル折り曲げ治具４０では、細長い板バネ状のフラットケーブル押え４１が、回転軸４２の回りに回転自在に設けられている。
このフラットケーブル押え４１は、図９に示すように、三角断面のロック部４３を乗り越え、このロック部４３とストッパ部４４との間に固定される。
【００４２】
従って、フラットケーブル押え４１を開放する際には、フラットケーブル押え４１の先端を少し持ち上げてロック部４３を乗り越えて横にずらす。
一方、フラットケーブル２４を押える際には、フラットケーブル押え４１を横にずらしてロック部４３を乗り越える。その後、前述した実施形態と同様に折り曲げ部１６を折り返してフラットケーブル２４を折り曲げる。
【００４３】
以上のように構成しても、前述した第１実施形態および第２実施形態と同様の作用・効果を得ることができる。
また、ここで説明したフラットケーブル折り曲げ治具４０を用いても、前述した第１実施形態および第２実施形態に係るフラットケーブル折り曲げ治具１０、３０を用いた場合と同様のワイヤハーネスを得ることができる。
【００４４】
なお、本発明のフラットケーブル折り曲げ方法およびその装置並びにワイヤハーネスは、前述した各実施形態に限定されるものでなく、適宜な変形、改良等が可能である。
【００４５】
【発明の効果】
以上、説明したように、本発明にかかるフラットケーブル折り曲げ方法およびその装置並びにワイヤハーネスによれば、１台の折り曲げ装置により任意の角度でフラットケーブルを折り曲げることができるので、コストダウンを図ることができると共に、フラットケーブルの配索の自由度が増すことになる。また、折り曲げたフラットケーブルには何ら部品が用いられていないので、一層のコストダウンを図ることができる。
【図面の簡単な説明】
【図１】本発明に係る第１実施形態を示す斜視図であり、フラットケーブルをセットする前の状態を示すものである。
【図２】フラットケーブル折り曲げ治具によりフラットケーブルを折り曲げる一工程を示す斜視図である。
【図３】フラットケーブル折り曲げ治具によりフラットケーブルを折り曲げる一工程を示す斜視図である
【図４】フラットケーブル折り曲げ治具によりフラットケーブルを折り曲げる一工程を示す斜視図である
【図５】本発明に係る第２実施形態を示す斜視図である。
【図６】フラットケーブル押えを示す斜視図である。
【図７】（Ａ）、（Ｂ）は、フラットケーブル押えの固定方法を示す断面図である。
【図８】本発明に係る第３実施形態を示す斜視図である。
【図９】フラットケーブル押えのロック状態を示す断面図である。
【図１０】従来のフラットケーブル折り曲げ治具を示す斜視図である。
【図１１】従来の別のフラットケーブル折り曲げ治具を示す斜視図である。
【符号の説明】
１０　フラットケーブル折り曲げ治具（フラットケーブル折り曲げ装置）
１３　ターンテーブル
１４　旋回部
１５　ヒンジ
１６　折り曲げ部
１８　凹部
１９　取っ手
２１　フラットケーブル押え
２４　フラットケーブル
２６　ワイヤハーネス
【図１】
2004047319.tif 000003
【図２】
2004047319.tif 000004
【図３】
2004047319.tif 000005
【図４】
2004047319.tif 000006
【図５】
2004047319.tif 000007
【図６】
2004047319.tif 000008
【図７】
2004047319.tif 000009
【図８】
2004047319.tif 000010
【図９】
2004047319.tif 000011
【図１０】
2004047319.tif 000012
【図１１】
2004047319.tif 000013